(57)【特許請求の範囲】
【請求項１】
消火用位置からの押し移動操作により点火用位置に移動し、当該点火用位置での押し移動操作の解除により前記消火用位置を越えて前記点火用位置から離れる側に移動した燃焼用位置に付勢力にて移動し、当該燃焼用位置からの押し移動操作により前記消火用位置に復帰自在に構成され、かつ、前記押し移動操作方向に沿う操作軸心の回りに回転操作自在に構成された燃焼操作具と、
前記燃焼操作具の回転操作により、燃料調節部を操作する燃料調節機構部と、
前記燃焼操作具を前記燃焼用位置から押し移動操作することにより、当該燃焼操作具を点火用回転位置に回転操作する点火用調節機構部と、が設けられたガス調理器の操作装置であって、
前記点火用調節機構部が、前記燃焼操作具を支持する操作具支持体を前記操作軸心の軸心方向に沿って移動自在に収納する支持体ケーシングの外周部に設けたカム操作体と、前記燃焼操作具から前記支持体ケーシングの外部を通して前記カム操作体の存在側に延出したカム形成部とを備える形態に構成され、
前記カム形成部に、前記燃焼操作具を前記燃焼用位置から押し移動操作することにより前記カム操作体と接当して、前記燃焼操作具を点火用回転位置に回転操作する復帰操作用カムが形成されているガス調理器の操作装置。
【請求項２】
前記燃料調節機構部が、
前記燃焼操作具の押し移動操作方向での移動を規制されかつ前記操作軸心の回りに回転自在な状態で前記支持体ケーシングの外周部に設けられた燃料調節用回転体と、
前記燃焼操作具と前記燃料調節用回転体とを前記操作軸心の軸心方向での相対移動を許容する状態で一体回転自在に連結する連結部とを備える形態に構成されている請求項１記載のガス調理器の操作装置。
【請求項３】
前記連結部が、前記燃焼操作具から前記燃料調節用回転体の存在側に延出した操作片と、前記燃料調節用回転体から前記燃焼操作具の存在側に延出した被操作片とを、前記操作軸心の軸心方向での相対移動自在にかつ前記操作軸心の回りに一体回転する状態に係合させる形態に構成されている請求項２記載のガス調理器の操作装置。
【請求項４】
前記カム形成部が、前記操作片の側縁部から延出される板状に形成される状態で前記操作片と一体形成されている請求項３記載のガス調理器の操作装置。
【発明の詳細な説明】
【技術分野】
【０００１】
本発明は、消火用位置からの押し移動操作により点火用位置に移動し、当該点火用位置での押し移動操作の解除により前記消火用位置を越えて前記点火用位置から離れる側に移動した燃焼用位置に付勢力にて移動し、当該燃焼用位置からの押し移動操作により前記消火用位置に復帰自在に構成され、かつ、前記押し移動操作方向に沿う操作軸心の回りに回転操作自在に構成された燃焼操作具と、
前記燃焼操作具の回転操作により、燃料調節部を操作する燃料調節機構部と、
前記燃焼操作具を前記燃焼用位置から押し移動操作することにより、当該燃焼操作具を点火用回転位置に回転操作する点火用調節機構部と、が設けられたガス調理器の操作装置に関する。
【背景技術】
【０００２】
かかるガス調理器の操作装置は、例えばガス調理器としてのガスコンロに装備されて、ガスバーナとしてのコンロバーナの点火や消火、及び、火力調節を行うものである。
つまり、燃焼操作具を押し移動操作することにより、コンロバーナの点火や消火を行い、また、燃焼操作具を回転操作することにより、燃料調節部を操作して、コンロバーナの火力を調節できるようにしたものである。
【０００３】
しかも、燃焼操作具を燃焼用位置から押し移動操作することにより、燃焼操作具を点火用回転位置に回転操作する点火用調節機構部が設けられているから、コンロバーナを消火させる際に、燃料調節部を点火に適した火力に対応する燃料供給状態に調節することができるため、次に、消火したコンロバーナを点火させるときに、コンロバーナの火力、換言すれば、コンロバーナへのガス燃料の供給量を、点火に好適な供給量にすることができるものとなり、コンロバーナの点火を良好に行えることになる。
【０００４】
このようなガス調理器の操作装置の従来例として、燃焼操作具を支持する操作具支持体が、操作軸心方向の軸心方向に沿って移動自在に支持体ケーシングに収納され、燃焼操作具が、操作具支持体の先端部に設けた端面部と、その端面部に対して操作軸心の回りに回転自在に設けた周壁部とから構成され、周壁部の回転により燃料調節部が操作されるように構成される。
【０００５】
そして、操作具支持体に、操作軸心方向の軸心方向に沿う長孔が形成され、支持体ケーシングに、操作具支持体の長孔を貫通する状態でリセットピンが止着され、そのリセットピンの端部が、周壁部の内面部に形成したリセット操作用のカム溝に係合するように構成される。
したがって、点火用調節機構部が、燃焼操作具が燃焼用位置から押し移動されたときに、燃焼用操作具の周壁部の回転位置が点火用回転位置から外れていると、カム溝によりリセットピンを回転操作して、燃焼用操作具の周壁部を点火用回転位置にリセット操作するように構成されたものがある（例えば、特許文献１参照。）。
【先行技術文献】
【特許文献】
【０００６】
【特許文献１】特開平６―５８５３５号公報
【発明の概要】
【発明が解決しようとする課題】
【０００７】
従来のガス調理器の操作装置においては、燃焼操作具の周壁部の内面部に形成したカム溝や、操作具支持体の長孔を貫通する状態で支持体ケーシングに止着されるリセットピンを備える形態に点火用調節機構部が構成されるものであるが、このような構成の点火用調節機構部は、構成が複雑で製作し難い不都合があった。
【０００８】
すなわち、燃焼操作具の周壁部の内面部にカム溝を形成することが煩雑であり、また、燃焼操作具の周壁部を、支持ケーシングに止着したリセットピンをカム溝に係合させた状態で、操作具支持体に組付けることが煩雑である等、従来の点火用調節機構部は、製作し難い複雑な構成であった。
【０００９】
本発明は、上記実状に鑑みて為されたものであって、その目的は、点火用調節機構部の製作の容易化を図ることができるガス調理器の操作装置を提供する点にある。
【課題を解決するための手段】
【００１０】
本発明のガス調理器の操作装置は、消火用位置からの押し移動操作により点火用位置に移動し、当該点火用位置での押し移動操作の解除により前記消火用位置を越えて前記点火用位置から離れる側に移動した燃焼用位置に付勢力にて移動し、当該燃焼用位置からの押し移動操作により前記消火用位置に復帰自在に構成され、かつ、前記押し移動操作方向に沿う操作軸心の回りに回転操作自在に構成された燃焼操作具と、
前記燃焼操作具の回転操作により、燃料調節部を操作する燃料調節機構部と、
前記燃焼操作具を前記燃焼用位置から押し移動操作することにより、当該燃焼操作具を点火用回転位置に回転操作する点火用調節機構部と、が設けられたものであって、その特徴構成は、
前記点火用調節機構部が、前記燃焼操作具を支持する操作具支持体を前記操作軸心の軸心方向に沿って移動自在に収納する支持体ケーシングの外周部に設けたカム操作体と、前記燃焼操作具から前記支持体ケーシングの外部を通して前記カム操作体の存在側に延出したカム形成部とを備える形態に構成され、
前記カム形成部に、前記燃焼操作具を前記燃焼用位置から押し移動操作することにより前記カム操作体と接当して、前記燃焼操作具を点火用回転位置に回転操作する復帰操作用カムが形成されている点にある。
【００１１】
すなわち、燃焼操作具を燃焼用位置から押し移動操作することにより、カム形成部に形成した復帰操作用カムがカム操作体と接当することにより、燃焼操作具が点火用回転位置に回転操作されることになる。
【００１２】
そして、カム操作体が支持体ケーシングの外周部に設けられ、また、カム形成部が、燃焼操作具から支持体ケーシングの外部を通してカム操作体の存在側に延出されるものであるから、支持体ケーシングの外方側に位置するカム操作体やカム形成部の製作が容易となるため、点火用調節機構部の製作の容易化を図ることができる。
【００１３】
要するに、本発明のガス調理器の操作装置の更なる特徴構成によれば、点火用調節機構部の製作の容易化を図ることができる。
【００１４】
また、本発明のガス調理器の操作装置の更なる特徴構成は、前記燃料調節機構部が、
前記燃焼操作具の押し移動操作方向での移動を規制されかつ前記操作軸心の回りに回転自在な状態で前記支持体ケーシングの外周部に設けられた燃料調節用回転体と、
前記燃焼操作具と前記燃料調節用回転体とを前記操作軸心の軸心方向での相対移動を許容する状態で一体回転自在に連結する連結部とを備える形態に構成されている点にある。
【００１５】
すなわち、燃焼操作具の回転操作にて、操作具支持体を収納する支持体ケーシングの外周部に設けた燃料調節用回転体を回転操作することにより、燃料調節部を操作するように構成されている。
尚、燃料調節用回転体の回転により燃料調節部を操作する構成としては、燃料調節用回転体と燃料調節部とを機械式連係機構により連係させて、燃料調節部を操作する構成や、燃料調節用回転体の回転位相を検出して、その検出情報に基づいて、燃料調節部に備えさせた燃料調節用の電動部を作動させる構成がある。
【００１６】
そして、燃料調節用回転体を、支持体ケーシングの外周部に設けて、その燃料調節用回転体と燃焼操作具とを連結部にて連結するものであるから、支持体ケーシングの外周部の空間を利用して燃料調節用回転体を設けるものであるため、燃料調節用回転体の設置構成の簡素化を図ることができるものとなり、燃料調節機構部の簡素化を図ることができる。
【００１７】
要するに、本発明のガス調理器の操作装置によれば、燃料調節機構部の簡素化を図ることができる。
【００１８】
また、本発明のガス調理器の操作装置の更なる特徴構成は、前記連結部が、前記燃焼操作具から前記燃料調節用回転体の存在側に延出した操作片と、前記燃料調節用回転体から前記燃焼操作具の存在側に延出した被操作片とを、前記操作軸心の軸心方向での相対移動自在にかつ前記操作軸心の回りに一体回転する状態に係合させる形態に構成されている点にある。
【００１９】
すなわち、燃焼操作具と燃料調節用回転体とを操作軸心の軸心方向での相対移動を許容する状態で一体回転自在に連結する連結部が、燃焼操作具から燃料調節用回転体の存在側に延出した操作片と、燃料調節用回転体から燃焼操作具の存在側に延出した被操作片とから構成されることになる。
【００２０】
そして、燃焼操作具から燃料調節用回転体の存在側に延出する操作片や、燃料調節用回転体から燃焼操作具の存在側に延出する被操作片としては、例えば、棒状に構成する等により、簡素に構成することができるものであるから、燃料調節機構部の一層の簡素化を図ることができる。
【００２１】
要するに、本発明のガス調理器の操作装置の更なる特徴構成によれば、燃料調節機構部の一層の簡素化を図ることができる。
【００２２】
また、本発明のガス調理器の操作装置の更なる特徴構成は、前記カム形成部が、前記操作片の側縁部から延出される板状に形成される状態で前記操作片と一体形成されている点にある。
【００２３】
すなわち、カム形成部が、操作片の側縁部から延出される板状に形成される状態で操作片と一体形成されているから、カム形成部によって、操作片を補強することができるため、操作片の簡素化を図りながら、操作片によって被操作片を適切に操作することができるものとなる。
【００２４】
つまり、燃焼操作具から片持ち状に延出される操作片を、板状のカム形成部によって補強することにより、操作片によって被操作片を適切に操作することができるものとなる。
【００２５】
要するに、本発明のガス調理器の操作装置の更なる特徴構成によれば、操作片によって被操作片を適切に操作することができる。
【図面の簡単な説明】
【００２６】
【図１】ガスコンロの斜視図
【図２】ガス燃料の流路構成を示す概略図
【図３】コンロバーナの操作部を示す側面図
【図４】コンロバーナの操作部の分解斜視図
【図５】コンロバーナの操作部の縦断側面図
【図６】本体ケーシングの流路構成を示す縦断側面図
【図７】グリルバーナの操作部を示す側面図
【図８】グリルバーナの操作部の分解斜視図
【図９】消火状態の器具栓を示す縦断側面図
【図１０】点火状態の器具栓を示す縦断側面図
【図１１】燃焼状態の器具栓を示す縦断側面図
【図１２】消火用操作状態の器具栓を示す縦断側面図
【図１３】プッシュ式機構の操作溝を示す斜視図
【図１４】強火操作状態の器具栓を示す一部切欠側面図
【図１５】強火から消火する状態の器具栓を示す一部切欠側面図
【図１６】弱火操作状態の器具栓を示す一部切欠側面図
【図１７】弱火から消火する状態の器具栓を示す一部切欠側面図
【図１８】火力調節用スイッチの操作構成を示す概略正面図
【図１９】グリルバーナの弱火状態の器具栓を示す側面図
【図２０】グリルバーナを弱火から消火する状態の器具栓を示す側面図
【発明を実施するための形態】
【００２７】
〔第１実施形態〕
以下、本発明の実施形態を図面に基づいて説明する。
【００２８】
（ガスコンロの全体構成）
図１に示すように、例示するガスコンロ（ガス調理器の一例）は、コンロバーナ１としての左コンロバーナ１Ａと右コンロバーナ１Ｂを備えるコンロ部、及び、グリルバーナ２（図２参照）を装備するグリル部Ｇを備える形態に構成され、そして、キッチンカウンターに組み込まれるビルトインタイプに構成されている。
【００２９】
ガスコンロの上面は、ガラス製のトッププレート３にて覆われ、ガスコンロの上面の後部側には、グリル部Ｇの燃焼排ガスを排気するためのグリル排気口４が形成されている。
２つの左コンロバーナ１Ａ及び右コンロバーナ１Ｂの夫々にて加熱される鍋等の被加熱物を載置するための五徳５Ａ、５Ｂが、トッププレート３の上部に設けられている。
【００３０】
グリルバーナ２としては、図２に示すように、被加熱物を上方から加熱する板状の上バーナ２ａと、被加熱物を下方から加熱する管状の左右一対の下バーナ２ｂとが備えられている。
つまり、図示は省略するが、グリル部Ｇの内部には、魚等の被加熱物を載置する受け網が設けられ、受け網に載置された被加熱物を、上バーナ２ａが上方側から加熱し、左右一対の下バーナ２ｂが下方側から加熱するように構成されている。
【００３１】
尚、図２に示すように、コンロバーナ１としての左コンロバーナ１Ａ及び右コンロバーナ１Ｂ、並びに、グリルバーナ２としての上バーナ２ａ及び左右一対の下バーナ２ｂの夫々に対して、点火用の点火プラグＰと熱電対等を用いて構成される着火状態検出用の着火センサＲとが装備されている。
また、図１及び図２に示すように、コンロバーナ１としての左コンロバーナ１Ａ及び右コンロバーナ１Ｂに対して、鍋等の被加熱物の存否を検出し且つその温度を検出する被加熱物検出センサＳが装備されている。
【００３２】
（ガスコンロの操作構成）
図１に示すように、ガスコンロの前面部には、２つの左コンロバーナ１Ａ及び右コンロバーナ１Ｂの夫々に対する点火及び消火の操作並びに火力調節の操作を行う円柱状の左コンロ用操作具６Ａ及び右コンロ用操作具６Ｂが、左右両側に分散して設けられ、また、グリルバーナ２に対する点火及び消火の操作及び火力調節の操作を行う円柱状のグリル用操作具７が、右コンロ用操作具６Ｂの横側に設けられ、加えて、調理情報等の種々の情報を入力するためのコンロ用設定操作部１０及びグリル用設定操作部１１が、左右両側に分散して設けられている。
【００３３】
尚、ガスコンロの前面部におけるグリル用設定操作部１１の横側箇所には、電池収納部を開閉する電池収納用開閉蓋１２が設けられている。つまり、本実施形態のガスコンロは電池駆動式に構成されている。
ちなみに、一対の左コンロ用操作具６Ａと右コンロ用操作具６Ｂは、同様に構成されて、同様に操作されるものであるので、以下、一対の左コンロ用操作具６Ａと右コンロ用操作具６Ｂとを、コンロ用操作具６と呼称して説明する。
【００３４】
コンロバーナ１及びグリルバーナ２の夫々に対する燃焼操作具Ｈとしての、コンロ用操作具６及びグリル用操作具７は、同様に構成されて、同様に操作されるものであって、コンロ用操作具６を代表にして説明し、グリル用操作具７については補足説明する。
図３及び図５に示すように、コンロ用操作具６が、コンロ前後方向に押し移動させることにより、消火用位置Ａ、点火用位置Ｂ及び燃焼用位置Ｃに切換自在に構成され、かつ、押し移動操作方向（コンロ前後方向）に沿う操作軸心Ｘの回りに回転操作自在に構成されている。
【００３５】
つまり、コンロ用操作具６が、消火用位置Ａからの押し移動操作により点火用位置Ｂに移動し、当該点火用位置Ｂでの押し移動操作の解除により消火用位置Ａを越えて点火用位置Ｂから離れる側に移動した燃焼用位置Ｃに付勢力にて移動し、当該燃焼用位置Ｃからの押し移動操作により消火用位置Ａに復帰自在に構成されている。
【００３６】
ちなみに、コンロ用操作具６を燃焼用位置Ｃから消火用位置Ａに操作する際には、コンロ用操作具６を燃焼用位置Ｃから消火用位置Ａを越えた消火操作位置Ｄに押し移動させ、当該消火操作位置Ｄにて押し移動操作を解除することにより、コンロ用操作具６が消火用位置Ａに付勢力により移動するように構成されている。
尚、図３は、コンロ用操作具６が消火用位置Ａに位置する状態を示し、図５は、コンロ用操作具６が燃焼用位置Ｃに位置する状態を示す。
【００３７】
消火用位置Ａにおいては、コンロ用操作具６の端面が、ガスコンロの前面部の表面Ｆから３ｍｍ程度だけコンロ前方側に突出し、点火用位置Ｂにおいては、コンロ用操作具６の端面が、ガスコンロの前面部の表面Ｆから４ｍｍ程度だけコンロ内方側（コンロ後方側）に引退し、燃焼用位置Ｃにおいては、コンロ用操作具６の端面が、ガスコンロの前面部の表面Ｆから１７ｍｍ程度だけコンロ前方側に突出し、かつ、消火操作位置Ｄにおいては、コンロ用操作具６の端面が、ガスコンロの前面部の表面Ｆから２ｍｍ程度だけコンロ前方側に突出するようになっている。
【００３８】
したがって、コンロバーナ１を燃焼させない消火用位置Ａにおいては、コンロ用操作具６がガスコンロの前面部からコンロ前方側に大きく突出しないため、ガスコンロの前面部を美麗な状態に維持でき、しかも、使用者がコンロ用操作具６に接触する不都合を抑制できる。
また、コンロバーナ１を燃焼させる燃焼用位置Ｃにおいては、コンロ用操作具６がガスコンロの前面部からコンロ前方側に大きく突出するため、コンロバーナ１が燃焼中であることを使用者に適切に認識させることができ、また、コンロ用操作具６を回転操作しながら火力調節を良好に行うことができる。
【００３９】
また、コンロ用操作具６を回転操作するときに把持する円筒状の周壁部Ｈａが、操作軸心Ｘの回りに回転自在に構成されるのに対して、コンロ用操作具６を押し移動操作するときに押圧する端面部Ｈｂが、押し移動する際には非回転状態に維持されるように構成されており、その詳細は後述する。
【００４０】
ちなみに、グリル用操作具７が、図７に示すように、コンロ用操作具６と同様に、消火用位置Ａ、点火用位置Ｂ、燃焼用位置Ｃ、消火操作位置Ｄに押し移動操作自在で、操作軸心Ｘの回りに回転操作自在に構成され、また、グリル用操作具７を回転操作するときに把持する周壁部Ｈａが、操作軸心Ｘの回りに回転自在に構成されるのに対して、コンロ用操作具６を押し移動操作するときに押圧する端面部Ｈｂが、押し移動する際には非回転状態に維持されるように構成されている。
【００４１】
（燃料供給構成）
図２に示すように、都市ガス等のガス燃料が供給される元ガス供給路１５に、左コンロバーナ１Ａ及び右コンロバーナ１Ｂに対する一対のコンロ用分岐路１６Ａ、１６Ｂ、及び、グリルバーナ２に対するグリル用分岐路１７が接続され、グリル用分岐路１７が、上バーナ２ａに対する分岐路部分１７ａと左右一対の下バーナ２ｂに対する分岐路部分１７ｂとに分岐されている。
一対のコンロ用分岐路１６Ａ、１６Ｂの夫々には、コンロ用器具栓１９が配設され、グリル用分岐路１７には、グリル用器具栓２０が配設されている。
【００４２】
コンロ用器具栓１９には、  コンロ用操作具６の押し移動操作にて開閉操作されるメイン弁２３、閉状態に弾性付勢された電磁操作式の安全弁２４、コンロ用操作具６の回転操作により操作されるニードル式の燃料調節弁２５、及び、火力を強状態と弱状態とに切換える火力調節用のコンロ側電磁弁２６が装着されている。
ちなみに、本実施形態においては、燃料調節弁２５は、コンロバーナ１の火力を調節する燃料調節部Ｖとして機能することになる。
【００４３】
そして、メイン弁２３及び安全弁２４を備える本流路２８に対して、燃料調節弁２５及びコンロ側電磁弁２６を備える主流路２９Ａと、弱火用オリフィス２７を備える分岐流路２９Ｂとが、並列状態で接続されており、コンロ側電磁弁２６の開状態では、ガス燃料が主流路２９Ａ及び分岐流路２９Ｂを通して流動し、コンロ側電磁弁２６の閉状態では、ガス燃料が分岐流路２９Ｂを通して流動するように構成されている。
【００４４】
尚、コンロ側電磁弁２６は、ガスコンロの運転を制御する制御部（図示せず）が、コンロ用設定操作部１０にて設定された自動調理メニューを実行する際に、火力を強状態と弱状態とに切換えるために開閉操作されるものであって、その詳細は周知であるので、本実施形態においては、制御部が実行する自動調理メニュー並びに火力調節用のコンロ側電磁弁２６の開閉操作についての説明は省略する。
【００４５】
グリル用器具栓２０は、その主要部が、コンロ用器具栓１９と同様に構成されるものであって、その主要部には、グリル用操作具７の押し移動操作にて開閉操作されるメイン弁２３、及び、閉状態に弾性付勢された電磁操作式の安全弁２４を備える本流路２８が設けられる。
そして、グリル用器具栓２０には、ガス燃料の供給圧力を設定圧力に調整するガバナ３３が装備されている。
【００４６】
上バーナ２ａに対する分岐路部分１７ａ及び下バーナ２ｂ対する分岐路部分１７ｂの夫々に対して、主流路３１Ａと、弱火用オリフィス３２を備える分岐流路３１Ｂとが、並列状態で接続されており、主流路３１Ａには、上バーナ２ａ及び下バーナ２ｂの夫々の火力を強状態と弱状態とに切換える火力調節用のグリル側電磁弁３０が備えられている。
そして、グリル側電磁弁３０の開状態では、ガス燃料が主流路３１Ａ及び分岐流路３１Ｂを通して流動し、グリル側電磁弁３０の閉状態では、ガス燃料が分岐流路３１Ｂを通して流動するように構成されている。
【００４７】
すなわち、上バーナ２ａ及び下バーナ２ｂの夫々に対する火力調節用のグリル側電磁弁３０を開閉操作することにより、グリルバーナ２の火力を４段階に変更調節できるように構成されている。
つまり、上バーナ２ａ及び下バーナ２ｂの夫々の火力を強状態にする大火力状態、上バーナ２ａの火力を強状態にしかつ下バーナ２ｂの火力を弱状態にする強め中間火力状態、上バーナ２ａの火力を弱状態にしかつ下バーナ２ｂの火力を強状態にする弱め中間火力状態、及び、上バーナ２ａ及び下バーナ２ｂの夫々の火力を弱状態にする小火力状態に切換えることができるように構成されている。
【００４８】
ちなみに、本実施形態においては、上バーナ２ａ及び下バーナ２ｂの夫々に対する火力調節用のグリル側電磁弁３０は、グリルバーナ２の火力を調節する燃料調節部Ｖとして機能することになる。
【００４９】
グリルバーナ２の火力調節は、グリル用操作具７の回転操作により行われるものであって、具体的には、グリル用操作具７の回転操作により操作される一対の火力調節用スイッチ３４（図７及び図１８参照）の情報に基づいて、上述した制御部が、一対のグリル側電磁弁３０を開閉操作するように構成されており、その詳細は後述する。
【００５０】
（コンロ用器具栓の詳細）
図３〜図５に示すように、コンロ用器具栓１９の本体ケーシング３６が、合成樹脂製の前部側ケーシング３６Ｆと金属製の後部側ケーシング３６Ｒとを、前後に並ぶ状態で接続し、且つ、後部側ケーシング３６Ｒの上部に、金属製の上部側ケーシング３６Ｕを接続した形態に構成されている。
【００５１】
図５に示すように、後部側ケーシング３６Ｒには、コンロ前後方向に沿う弁収納用空間が形成され、その弁収納用空間の内部に、メイン弁２３及び電磁操作式の安全弁２４が装着されており、その詳細は後述する。
図４及び図５に示すように、上部側ケーシング３６Ｕは、前部側ケーシング３６Ｆの上方箇所に向けて片持ち状に延出する部分を備えており、その延出する部分に、コンロバーナ１に対する燃料調節部燃料調節弁２５が装備され、上部側ケーシング３６Ｕの後部に、火力調節用のコンロ側電磁弁２６が装着されており、その詳細は後述する。
【００５２】
図５に示すように、前部側ケーシング３６Ｆには、コンロ前後方向に沿うスライダ収納用空間が形成され、そのスライダ収納用空間に、コンロ用操作具６と一体移動するスライダ４０及び当該スライダ４０にて押圧移動操作される中継スライダ４１が、操作軸心Ｘの回りでの回転を阻止された状態で操作軸心Ｘの軸心方向に沿って移動自在に収納されており、その詳細は後述する。
【００５３】
図５に示すように、本体ケーシング３６における後部側ケーシング３６Ｒの下部には、元ガス供給路１５が接続される導入口３８が形成され、上部ケーシング３６Ｕの上部には、コンロバーナ１に向けてガス燃料を供給する導出口３９が形成されている。
そして、本体ケーシング３６における後部側ケーシング３６Ｒ及び上部ケーシング３６Ｕの内部には、導入口３８と導出口３９とを連通する状態で、本流路２８、主流路２９Ａ、及び、分岐流路２９Ｂが形成されている。
【００５４】
図６は、メイン弁２３、電磁操作式の安全弁２４及びコンロ側電磁弁２６が開き状態となって、導入口３８に導入されたガス燃料が導出口３９に流動する状態を示すものであって、ガス燃料の流れを矢印線で示している。
ガス燃料の流れにより、本流路２８、主流路２９Ａ、及び、分岐流路２９Ｂの夫々の構成を理解することができるので、本流路２８、主流路２９Ａ、及び、分岐流路２９Ｂについての詳細な説明を省略する。
【００５５】
図５及び図６に示すように、後部側ケーシング３６Ｒには、金属製のバルブロッド４２が、コンロ用操作具６の押し移動操作方向（コンロ前後方向）に沿って往復移動自在に収納され、このバルブロッド４２に、メイン弁２３を構成するメイン弁用弁体２３Ａが一体移動するように装着されている。
また、メイン弁用弁体２３Ａをコンロ前面側に向けて付勢する第１スプリング４３が設けられ、メイン弁用弁体２３Ａが、第１スプリング４３の付勢力にてコンロ前面側に移動することによって、メイン弁用弁座２３Ｂに接当する閉じ位置に移動するように構成されている。
【００５６】
図５及び図６に示すように、安全弁２４を構成する安全弁用弁体２４Ａが、第２スプリング４４にてコンロ前面側に移動して安全弁用弁座２４Ｂに接当する閉じ位置に移動するように構成されている。
また、バルブロッド４２が第１スプリング４３の付勢力に抗してコンロ内方側（コンロ後方側）に移動することにより、安全弁２４の安全弁用弁体２４Ａを開き位置に押圧操作されるように構成されている。
そして、安全弁２４の励磁部２４Ｃが、開き位置に押圧操作された安全弁用弁体２４Ａを電磁力にて開き位置に保持するように構成されている。
【００５７】
図４に示すように、燃料調節弁２５が、操作軸心Ｘに沿う方向視にて、コンロ用操作具６の上方側の側脇に位置する状態で、上部側ケーシング３６Ｕに設けられている。
つまり、上部側ケーシング３６Ｕには、燃料調節弁２５の燃料調節用弁体としての弁本体２５Ａが、コンロ用操作具６の押し移動操作方向（コンロ前後方向）に沿って往復移動自在に収納されている。
【００５８】
図５及び図６に示すように、上部側ケーシング３６Ｕにおける弁本体２５Ａを収納する弁ケーシングとして機能する筒部３６Ｗの下壁部に、コンロ用操作具６の押し移動操作方向に沿うスリット４５（挿通孔の一例）が形成され、弁本体２５Ａに装着した連係ピン４６（被係止体の一例）が、スリット４５を通して下方に突出する状態で設けられている。
そして、この連係ピン４６を係止移動操作することによって、燃料調節弁２５を調節操作することになるが、その詳細は後述する。
【００５９】
図５及び図６に示すように、上部側ケーシング３６Ｕのコンロ内方側の端部には、コンロ側電磁弁２６が装着されている。このコンロ側電磁弁２６は、閉じ位置に復帰付勢された開閉弁体２６Ａを電磁弁用弁座２６Ｂに対して接当させることにより、主流路２９Ａを閉じ、開閉弁体２６Ａを電磁弁用弁座２６Ｂから離間させることにより、主流路２９Ａを開くように構成されている。
【００６０】
図５に示すように、前部側ケーシング３６Ｆは、内部にスライダ収納用空間を備える支持体ケーシングとして構成されるものであって、内部に形成されたスライダ収納用空間のコンロ前後方向の中間部には、スライダ４０の中央部からコンロ後方側に突出する突起状の押し部４０Ａが挿通自在な環状の中間壁部３６ｍが形成され、また、中間壁部３６ｍの下方には、スライダ４０の下端部からコンロ後方側に突出する平板状の位置決め板部４０Ｂが、コンロ前後方向に移動自在に挿通されている。
スライダ４０は、位置決め板部４０Ｂが中間壁部３６ｍの下部等に接当することによって、操作軸心Ｘ回りでの回転が阻止されるように構成されている。
【００６１】
中間壁部３６ｍとスライダ４０との間には、スライダ４０をコンロ前方側に付勢する第３スプリング４７が設けられ、前部側ケーシング３６Ｆの前端部には、スライダ４０のコンロ前方側への移動範囲を受止め規制する受止部３６ｎが設けられている。
中継スライダ４１をコンロ前方側に付勢する第４スプリング４８が設けられ、この第４スプリング４８にて付勢された中継スライダのコンロ前方側への移動範囲が、中間壁部３６ｍにて受止め規制されるように構成されている。
【００６２】
また、図示は省略するが、前部側ケーシング３６Ｆの左横側部には、点火用の固定接点や安全用の固定接点などを備えた接点板ブロックが取り付けられ、スライダ４０の摺動に伴って、スライダ４０に取り付けた可動接点が各固定接点に対する接触状態と非接触状態とに切り換えられるように構成されている。
この接点板ブロックの検出情報が制御部に入力されて、制御部が、接点板ブロックの検出情報に基づいて、点火プラグＰの点火作動、及び、安全弁２４の開閉作動を制御するように構成されており、その詳細は後述する。
【００６３】
（プッシュ−プッシュ機構）
図５及び図６に示すように、前部側ケーシング３６Ｆの下面部には、Ｕ字状の係止ピン４９が、前部側ケーシング３６Ｆの後部に設けた支点形成部３６Ｐにて後端部が左右方向に揺動自在に支持されることにより、左右方向に揺動自在で、かつ、環状スプリング５０にて上方側に向けて付勢された形態で設けられている。
【００６４】
スライダ４０の位置決め板部４０Ｂの下面には、前部側ケーシング３６Ｆの底壁部を貫通する係止ピン４９の先端部（前端部）が係合する位置決め用の係合溝Ｋ（図１３参照）が形成されており、係止ピン４９と係合溝Ｋとから、コンロ用操作具６の位置決めを行う、いわゆるプッシュ−プッシュ機構が構成されている。
【００６５】
このプッシュ−プッシュ機構は、周知であるため簡単に説明すると、係合溝Ｋには、図１３に示すように、コンロ用操作具６が消火用位置Ａに位置するときに、係止ピン４９の先端部が位置することになる消火用操作位置Ｋａ、コンロ用操作具６が点火用位置Ｂに位置するときに、係止ピン４９の先端部が位置することになる点火用操作位置Ｋｂ、コンロ用操作具６が燃焼用位置Ｃに位置するときに、係止ピン４９の先端部が位置することになる燃焼用操作位置Ｋｃ、及び、コンロ用操作具６が消火操作位置Ｄに位置するときに、係止ピン４９の先端部が位置することになる消火移行位置Ｋｄが存在する。
【００６６】
そして、係合溝Ｋには、消火用操作位置Ｋａと点火用操作位置Ｋｂとを接続する屈曲状の第１溝部分Ｋ１、点火用操作位置Ｋｂと燃焼用操作位置Ｋｃとを接続するコンロ前後方向に伸びる形態の第２溝部分Ｋ２、及び、第２溝部分Ｋ２の中間部と消火移行位置Ｋｄとを接続する傾斜状の第３溝部分Ｋ３、及び、消火移行位置Ｋｄと消火用操作位置Ｋａとを接続する傾斜状の第４溝部分Ｋ４が形成されている。
【００６７】
また、係合溝Ｋには、消火用操作位置Ｋａから点火用操作位置Ｋｂに移動した係止ピン４９の先端部が消火用操作位置Ｋａの存在側に移動するのを阻止する第１段部Ｌ１、点火用操作位置Ｋｂから燃焼用操作位置Ｋｃに移動した係止ピン４９の先端部が点火用操作位置Ｋｂの存在側に移動するのを阻止しながら消火移行位置Ｋｄに案内する第２段部Ｌ２、燃焼用操作位置Ｋｃから消火移行位置Ｋｄに移動した係止ピン４９が燃焼用操作位置Ｋｃの存在側に移動するのを阻止する第３段部Ｌ３、及び、消火移行位置Ｋｄから消火用操作位置Ｋａに移動した係止ピン４９が消火移行位置Ｋｄに移動するのを阻止する第４段部Ｌ４が形成されている。
【００６８】
したがって、プッシュ−プッシュ機構は、コンロ用操作具６と一体的に前後に移動するスライダ４０が前後に移動することにより、左右に揺動する係止ピン４９の先端部が係合溝Ｋにて案内されることによって、スライダ４０と一体移動しかつコンロ前方側に付勢されているコンロ用操作具６を位置決めするように構成されるものであって、具体的には、コンロ用操作具６を、押し移動操作により、消火用位置Ａ、点火用位置Ｂ、燃焼用位置Ｃ及び消火操作位置Ｄに順次移動させるように案内し、かつ、消火用位置Ａ及び燃焼用位置Ｃにてコンロ用操作具６を保持するように構成されている。
【００６９】
また、図５及び図６に示すように、中継スライダ４１の下部には、スライダ４０の位置決め板部４０Ｂと前部側ケーシング３６Ｆの底部壁との間に位置する状態で、板状の位置決め部４１Ａが設けられ、係止ピン４９の先端部が、中継スライダ４１の下部の板状の位置決め部４１Ａに形成した挿通孔５１を貫通する状態で設けられている。
【００７０】
そして、コンロ用操作具６が点火用位置Ｂから燃焼用位置Ｃに移動しても、係止ピン４９の先端部が挿通孔５１のコンロ後方側の孔縁部５１ｒ（図６参照）を係止することにより、バルブロッド４２を押し移動する位置に中継スライダ４１を保持し、コンロ用操作具６が燃焼用位置Ｃから消火操作位置Ｄに操作されると、係止ピン４９の先端部が挿通孔５１の孔縁部５１ｒを係止することが解除されて、中継スライダ４１がコンロ前方側に移動して、バルブロッド４２の押し移動操作を解除するように構成されている。
【００７１】
つまり、左右方向に揺動自在な係止ピン４９が、消火用操作位置Ｋａから点火用操作位置Ｋｂに移動するときに左方側（コンロ正面視にて）に揺動し、燃焼用操作位置Ｋｃから消火移行位置Ｋｄに移動するときに右方側（コンロ正面視にて）に揺動することを用いて、挿通孔５１のコンロ後方側の孔縁部５１ｒを係止する係止状態と係止を解除する解除状態とに切換える形態で、中継スライダ４１を係止ピン４９にて係止するように構成されている。
【００７２】
ちなみに、挿通孔５１のコンロ後方側の孔縁部５１ｒは、燃焼用操作位置Ｋｃに位置する係止ピン４９の先端部に係止され、係止ピン４９の先端部が消火移行位置Ｋｄや消火用操作位置Ｋａに位置するときには、係止ピン４９の先端部による係止が解除されるものであるから、燃焼用操作位置Ｋｃに対応する部分よりも消火移行位置Ｋｄや消火用操作位置Ｋａに対応する部分をコンロ後方側に位置させるＬ字状に形成されている。
【００７３】
（コンロ用器具栓１９による操作の詳細）
次に、コンロ用操作具６の操作に基づく、コンロ用器具栓１９の作動及び制御部の制御作動についてまとめて説明する。
すなわち、図９に示すように、コンロ用操作具６が消火用位置Ａにあるときは、スライダ４０の可動接点が点火用の固定接点及び安全用の固定接点に対する非接触状態となり、そして、メイン弁２３のメイン弁用弁体２３Ａが本流路２８を閉じ、且つ、安全弁２４も弾性的に閉弁されて、安全弁用弁体２４Ａが本流路２８を閉じるように構成されている。
【００７４】
図９及び図１０に示すように、コンロ用操作具６を消火用位置Ａから点火用位置Ｂに押し移動操作すると、スライダ４０が中継スライダ４１を押し移動し、かつ、中継スライダ４１がバルブロッド４２を押し移動することにより、メイン弁２３のメイン弁用弁体２３Ａが本流路２８を開き、かつ、バルブロッド４２の先端が安全弁２４の安全弁用弁体２４Ａを押圧して開弁することになる。
【００７５】
また、図示は省略するが、コンロ用操作具６を点火用位置Ｂに押し移動操作すると、スライダ４０の可動接点が点火用の固定接点に接触する接触状態に切り換えられることにより、制御部が、着火センサＲにて着火が検出されるまで点火プラグＰを作動させる点火処理を実行し、加えて、着火センサＲにて着火が検出されると、安全弁２４を開き状態に保持すべく、安全弁２４に通電することになる。
【００７６】
図１１に示すように、コンロバーナ１が着火したのち、コンロ用操作具６の押し移動操作を解除すると、コンロ用操作具６が燃焼用位置Ｃに付勢力にて移動し、スライダ４０がコンロ用操作具６と共にコンロ前方側に移動することになるが、中継スライダ４１が、係止ピン４９の係止により、バルブロッド４２を押し移動操作する状態に維持されることになり、メイン弁２３のメイン弁用弁体２３Ａが本流路２８を開く状態が維持される。
【００７７】
また、図示は省略するが、コンロ用操作具６が燃焼用位置Ｃに移動すると、スライダ４０の可動接点が、点火用固定接点に接触しない非接触状態に切り換えられ、かつ、安全用の固定接点に接触する接触状態に切換えられる。
制御部は、安全用の固定接点が接触状態に切換えられているので、着火センサＲにて着火が検出されているときには、安全弁２４を開き状態に操作し、そして、着火センサＲにて着火が検出されないときには、安全弁２４を閉じ状態に操作する非常停止処理を実行する。
【００７８】
図１２に示すように、コンロ用操作具６を燃焼用位置Ｃから消火操作位置Ｄに押し込み操作すると、係止ピン４９による中継スライダ４１の係止が解除されて、スライダ４０がコンロ前方側に移動することにより、バルブロッド４２がコンロ前方側に移動することになり、メイン弁２３のメイン弁用弁体２３Ａが本流路２８を閉じることになる。
また、図示は省略するが、コンロ用操作具６が消火操作位置Ｄに移動すると、スライダ４０の可動接点が点火用の固定接点及び安全用の固定接点に対する非接触状態となるので、制御部が、安全弁２４を閉じ状態に操作する消火処理を実行することになる。
【００７９】
（コンロ用操作具の詳細）
図４及び図５に示すように、コンロ用操作具６の周壁部Ｈａを形成する筒状の本体部５２が設けられ、その本体部５２の前端部に、コンロ用操作具６の端面部Ｈｂを形成する本体キャップ５３が設けられている。
本体キャップ５３には、コンロ後方側に伸びる脚状でかつ先端部には径方向外方に突出する係止突部を備える複数の脚部５３ａが設けられている。これに対して、本体部５２の内面には、環状の突部５２ａが形成されている。
【００８０】
そして、本体キャップ５３の脚部５３ａが、本体部５２の突部５２ａの内部に嵌合し、かつ、脚部５３ａの先端の係止突部が突部５２ａを係止する状態で、本体キャップ５３が本体部５２に装着されている。
つまり、本体キャップ５３が、操作軸心Ｘの回りに回転自在に本体部５２に装着されている。
【００８１】
スライダ４０の先端に嵌合装着される筒状スペーサ５４が設けられ、本体キャップ５３の脚部５３ａが、筒状スペーサ５４に外嵌し、かつ、本体キャップ５３の裏面（コンロ後方側の面）が、筒状スペーサ５４の先端に接当するように構成されている。
したがって、本体キャップ５３をコンロ後方側に押し移動すると、本体キャップ５３の裏面に接当する筒状スペーサ５４がコンロ後方側に押し移動されることにより、スライダ４０がコンロ後方側に押し移動されるように構成されている。
【００８２】
そして、本体キャップ５３の裏面（コンロ後方側の面）は、上述の如く、筒状スペーサ５４の先端に接当するものであるから、本体キャップ５３が、筒状スペーサ５４及びスライダ４０に対して、操作軸心Ｘの回りに回転できるようになっている。
つまり、本体キャップ５３は、本体部５２及び筒状スペーサ５４（スライダ４０）の夫々に対して、操作軸心Ｘの回りに回転自在に装着されている。
【００８３】
火力調節用の回転体５５の筒状本体５５Ａが、筒状スペーサ５４とスライダ４０との接続箇所に、操作軸心Ｘの回りに回転自在に、かつ、コンロ前後方向での移動を規制された状態で外嵌され、コンロ用操作具６の本体部５２が、回転体５５の筒状本体５５Ａに対して、一体回転自在でかつコンロ前後方向での移動を規制された状態で外嵌されている。
つまり、本実施形態においては、コンロ操作具６の周壁部Ｈａが、回転体５５を備える形態に構成されている。そして、回転体５５の筒状本体５５Ａには、火力調節用の操作片５５Ｂが操作軸心Ｘの軸心方向に沿ってコンロ後方側に延出されており、後述の如く、燃料調節弁２５を操作するように構成されている。
【００８４】
ちなみに、コンロ用操作具６の本体部５２には、コンロ後方側に伸びかつ先端部に係合孔を備える舌片５２ｂが備えられ、本体部５２を回転体５５の筒状本体５５Ａに外嵌した状態において、筒状本体５５Ａの外周部に形成した位置決め突起５５ａに対して舌片５２ｂの係合孔を係合させることにより、本体部５２を回転体５５に対して位置決めするように構成されている。
【００８５】
以上の通り、本実施形態においては、スライダ４０と筒状スペーサ５４とから、燃焼操作具Ｈとしてのコンロ用操作具６を点火用位置Ｂ、燃焼用位置Ｃ及び消火用位置Ａに切換え自在に支持するスライド式の操作具支持体Ｊが構成される。この操作具支持体Ｊは、操作軸心Ｘの回りでの回転を阻止された状態で操作軸心Ｘの軸心方向に沿って移動自在に前部側ケーシング（支持体ケーシング）３６Ｆに収納されることになる。
【００８６】
そして、コンロ用操作具６の周壁部Ｈａが、端面部Ｈｂ及び操作具支持体Ｊの夫々に対して、操作軸心Ｘの回りで回転自在に構成され、端面部Ｈｂが、操作具支持体Ｊに対して、操作軸心Ｘの回りで回転自在に構成されている。
【００８７】
（燃料調節弁の操作構成）
図４及び図５に示すように、前部側ケーシング３６Ｆの上部の半円筒状の外周部に、燃料調節用回転体Ｔとして、コンロ操作具６の押し移動操作方向での移動を規制されかつ操作軸心Ｘの回りに回転自在な状態で火力調節用の弁操作用回転体５６が装着されている。
弁操作用回転体５６は、円弧状の円弧状部５６Ｂを主要部として備え、その円弧状部５６Ｂから、操作軸心Ｘの軸心方向に沿ってコンロ用操作具６の存在側に延出する棒状の被操作片５６Ａを備える形態に構成されている。
【００８８】
前部側ケーシング３６Ｆの上面には、位置決め用の凹溝として、コンロ前後方向に並ぶ一対の位置決め溝Ｅが操作軸心Ｘを軸心とする形態で形成され、弁操作用回転体５６の下面には、位置決め溝Ｅに係合する一対の係合突起５６ａが形成されており、係合突起５６ａが位置決め溝Ｅに嵌合することにより、操作具６の押し移動操作方向（コンロ前後方向）での弁操作用回転体５６の移動を規制するように構成されている。
【００８９】
回転体５５の操作片５５Ｂが、操作軸心Ｘの軸心方向に沿って弁操作用回転体５６の存在側に延出される形態で断面形状が逆Ｕ字状に形成され、弁操作用回転体５６の被操作片５６Ａが、操作片５５Ｂの内部に、コンロ前後方向に移動自在に、かつ、操作軸心Ｘの回りに一体回転する状態に挿入するように構成されている。
つまり、操作片５５Ｂと被操作片５６Ａとから、コンロ操作具６の周壁部Ｈａと弁操作用回転体５６とを操作軸心Ｘの軸心方向での相対移動を許容する状態で一体回転自在に連結する連結部Ｚが構成されることになり、そして、操作片５５Ｂと被操作片５６とが、操作軸心Ｘの軸心方向での相対移動自在にかつ操作軸心Ｘの回りに一体回転する状態で係合されている。
【００９０】
図３〜図５に示すように、前部側ケーシング３６Ｆの上面部に、弁操作用回転体５６のコンロ用操作具６から離れる側となる後端部に設けた被押え部５６ｂを上方側（外方側）から受止め支持する受支持部３６ｒが設けられ、被押え部５６ｂが、弁操作用回転体５６の操作軸心Ｘ回りでの回転を許容される状態で浮き上がりを阻止するように、受支持部３６ｒにて受止められるように構成されている。
また、操作片５５Ｂが、被操作片５６Ａを上方側（外方側）から受止支持するように構成されている。
【００９１】
つまり、回転体５５の操作片５５Ｂが、弁操作用回転体５６の被操作片５６Ａの浮き上がりを阻止するように、被操作片５６Ａを上方側（外方側）から受止め、かつ、前部側ケーシング３６Ｆの上面部に設けた受支持部３６ｒが、弁操作用回転体５６の被押え部５６ｂを上方側（外方側）から受止めることによって、弁操作用回転体５６が前部側ケーシング３６Ｆの上面部から上方側（外方側）に外れることを阻止するように構成されている。
【００９２】
図３〜図５に示すように、弁操作用回転体５６の円弧状部５６Ｂの上面側には、燃料調節弁２５の弁本体２５Ａに装着した連係ピン４６の下端部（先端部）が係合するピン操作溝Ｕ（弁操作溝の一例）が、操作軸心Ｘを中心とする螺旋溝状に形成されている。具体的には、ピン操作溝Ｕが、ガスコンロの正面視において、左側に位置する溝部分ほどコンロ前方側に位置する状態に形成されている。
【００９３】
したがって、コンロ用操作具６の周壁部Ｈａを回転操作することにより、周壁部Ｈａと一体回転する回転体５５の操作片５５Ｂが弁操作用回転体５６を回転操作し、弁操作用回転体５６の回転により、ピン操作溝Ｕに係合する連係ピン４６がコンロ前後方向に移動して、燃料調節弁２５の弁本体２５Ａがコンロ前後方向に移動することによって、ガス燃料の供給量を調節できるように構成されている。
【００９４】
そして、ピン操作溝Ｕが、ガスコンロの正面視において、左側に位置する溝部分ほどコンロ前方側に位置する状態に形成されているため、コンロ用操作具６の周壁部Ｈａを右側に回転操作するほど、燃料調節弁２５の弁本体２５Ａがコンロ前方側に移動されて、ガス燃料の供給量が多くなるように構成されている。
【００９５】
以上の通り、本実施形態においては、コンロバーナ１の燃料調節部Ｖとしての燃料調整弁２５を操作するコンロバーナ側の燃料調節機構部Ｍ１が、弁操作用回転体５６及び連結部Ｚを備える形態に構成され、連結部Ｚが、操作片５５Ｂと被操作片５６Ａとから構成されている。
【００９６】
（コンロバーナの点火用調節機構部）
コンロバーナ１の火力は、燃料調節弁２５によって弱火から強火の間で調節されることになるが、本実施形態のコンロバーナ１は、点火させるときには、弱火と強火との間の中火にて点火させることが好ましいものである。
このため、図１４〜図１７に示すように、燃料調節弁２５が中火よりも弱火側や強火側に操作されていても、コンロ用操作具６を燃焼用位置Ｃから消火操作位置Ｄに向けて押し移動させたときに、燃料調節弁２５を中火に対応する状態に復帰操作するコンロバーナ側の点火用調節機構部Ｎ１が備えられており、以下、そのコンロバーナ側の点火用調節機構部Ｎ１について説明する。
【００９７】
回転体５５における操作片５５Ｂの両側には、回転体５５の筒状本体５５Ａと操作片５５Ｂとを接続する板状のカム形成部５５Ｃが設けられている。つまり、カム形成部５５Ｃが、前部側ケーシング３６Ｆの外部を通して後述するカム操作体５７の存在側に延出される状態で、且つ、操作片５５Ｂの側縁部から延出される状態で操作片５５Ｂと一体形成されている（図４参照）。
【００９８】
そして、それら一対のカム形成部５５Ｃのうちの、ガスコンロの正面視において左側のカム形成部５５Ｃの後端部が、復帰操作用カムＷとして、操作片５５Ｂから離れるほどコンロ前方側に位置する弱火側復帰操作カムＷＬ（図１６、図１７参照）を形成し、一対のカム形成部５５Ｃのうちの、ガスコンロの正面視において右側のカム形成部５５Ｃの後端部が、復帰操作用カムＷとして、操作片５５Ｂから離れるほどコンロ前方側に位置する強火側復帰操作カムＷＲ（図１４、図１５参照）を形成するように構成されている。
【００９９】
図４、図１４及び図１５に示すように、ガスコンロの正面視において、前部側ケーシング３６Ｆの外周部の右側箇所には、カム操作体５７として、点火用の中火力よりも強火力側に操作した状態のコンロ用操作具６を燃焼用位置Ｃから消火操作位置Ｄに向けて押し移動させたときに、強火側復帰操作カムＷＲと接当する強火側カム操作用突起５７Ｒが設けられている。
【０１００】
したがって、点火用の中火力よりも強火力側に操作した状態のコンロ用操作具６の端面部Ｈｂを押圧しながら、コンロ用操作具６を燃焼用位置Ｃから消火操作位置Ｄに向けて押し移動させたときに、強火側復帰操作カムＷＲが強火側カム操作用突起５７Ｒに接当することにより、回転体５５を点火用の中火力に対応する回転位置に復帰回転させるように構成されている。
【０１０１】
図１６及び図１７に示すように、ガスコンロの正面視において、前部側ケーシング３６Ｆの外周部の左側箇所には、カム操作体５７として、点火用の中火力よりも弱火力側に操作した状態のコンロ用操作具６を燃焼用位置Ｃから消火操作位置Ｄに向けて押し移動させたときに、弱火側復帰操作カムＷＬと接当する弱火側カム操作用突起５７Ｌが設けられている。
【０１０２】
したがって、点火用の中火力よりも弱火側に操作した状態のコンロ用操作具６の端面部Ｈｂを押圧しながら、コンロ用操作具６を燃焼用位置Ｃから消火操作位置Ｄに向けて押し移動させたときに、弱火側復帰操作カムＷＬが強火側カム操作用突起５７Ｒに接当することにより、回転体５５を点火用の中火力に対応する回転位置に復帰回転させるように構成されている。
【０１０３】
ちなみに、弱火側復帰操作カムＷＬ及び強火側復帰操作カムＷＲの前端側部分が、操作軸心Ｘと平行な状態に形成されており、燃焼用位置Ｃから消火操作位置Ｄに向けて押し移動させたコンロ用操作具６が、その後、消火用位置Ａや点火用位置Ｂに位置するときに、中火力に対応する回転位相に復帰回転させた回転体５５を、その回転位相に維持できるように構成されている。
【０１０４】
ところで、コンロ用操作具６の端面部Ｈｂを構成する本体キャップ５３が、上述の如く、コンロ用操作具６の周壁部Ｈａを構成する本体部５２に対して操作軸心Ｘの回りに回転自在に構成されているから、コンロ用操作具６の端面部Ｈｂを押圧しながら、コンロ用操作具６を燃焼用位置Ｃから消火操作位置Ｄに向けて押し移動させたときに、回転体５５の回転に伴ってコンロ用操作具６の周壁部Ｈａが回転しても、コンロ用操作具６の端面部Ｈｂが回転しないため、コンロ用操作具６の端面部Ｈｂを押圧操作することを、違和感のない状態で良好に行えるものとなっている。
【０１０５】
しかも、コンロ用操作具６の端面部Ｈｂを構成する本体キャップ５３が、スライダ４０に接続された筒状スペーサ５４に対して、操作軸心Ｘを回転軸心として回転自在に装着されているから、本体部５２と本体キャップ５３との間の隙間に煮汁が入り込むこと等により、本体キャップ５３の本体部５２に対する回転が阻止される状態になったときには、コンロ用操作具６を燃焼用位置Ｃから消火操作位置Ｄに向けて押し移動させる際に、本体キャップ５３を筒状スペーサ５４に対して回転させることができるため、本体キャップ５３の本体部５２に対する回転が阻止される状態になったときにも、コンロ用操作具６を燃焼用位置Ｃから消火操作位置Ｄに向けて押し移動させる操作を良好に行うことができる。
【０１０６】
（グリル用器具栓について）
図７及び図８を参照しながら、グリル用器具栓２０について説明するが、グリル用器具栓２０はコンロ用器具栓１９と同様に構成される部分を備えるものであるから、以下の説明においては、グリル用器具栓２０がコンロ用器具栓１９と異なる部分を中心に説明するようにして、コンロ用器具栓１９と同様に構成される部分については、コンロ用器具栓１９と同じ符号を付記して、説明を省略する。
【０１０７】
本体ケーシング３６が、前部側ケーシング３６Ｆ、後部側ケーシング３６Ｒ、及び、上部側ケーシング３６Ｕから構成される点は、コンロ用器具栓１９と同じであるが、上部側ケーシング３６Ｕが、コンロ用器具栓１９とは異なっている。
すなわち、グリル用器具栓２０の上部側ケーシング３６Ｕが導出口３９に連通する本流路２８を構成する流路部分を備える点は、コンロ用器具栓１９と同様であるが、その流路部分に対して作用させる形態でガバナ３３を備えている。
【０１０８】
また、グリル用器具栓２０の上部側ケーシング３６Ｕのコンロ前方側部分には、上述した一対の火力調節用スイッチ３４を備えるスイッチケース３４Ｋが装備されている。つまり、グリル用器具栓２０の上部側ケーシング３６Ｕには、コンロ用器具栓１９が備える燃料調節弁２５に代えて、スイッチケース３４Ｋが装備されている。
【０１０９】
（グリル用操作具の詳細）
グリル用操作具７は、コンロ用操作具６と同様に構成されている。すなわち、図８に示すように、グリル用器具栓２０の前部側ケーシング３６Ｆには、コンロ用器具栓１９と同様に、スライダ４０が装備され、そのスライダ４０やそのスライダ４０に接続される筒状スペーサ５４からなる操作具支持体Ｊに、グリル用操作具７が装着される。
【０１１０】
そして、グリル用操作具７の周壁部Ｈａを形成する筒状の本体部５２が設けられ、その本体部５２の前端部に、グリル用操作具７の端面部Ｈｂを形成する本体キャップ５３が設けられ、さらに、火力調節用の回転体５５が設けられている。
本体部５２及び本体キャップ５３、並びに、火力調節用の回転体５５は、上述した通りであり、詳細な説明を省略する。
【０１１１】
（グリルバーナの火力調節用操作構成）
グリルバーナ２は、上述の如く、上バーナ２ａ及び下バーナ２ｂの夫々の火力を強状態にする大火力状態と、上バーナ２ａの火力を強状態にしかつ下バーナ２ｂの火力を弱状態にする強め中火力状態と、上バーナ２ａの火力を弱状態にしかつ下バーナ２ｂの火力を強状態にする弱め中火力状態と、上バーナ２ａ及び下バーナ２ｂの夫々の火力を弱状態にする小火力状態との４段階に火力が調節自在に構成されている。
【０１１２】
そして、上述した一対の火力調節用スイッチ３４の操作情報に基づいて、一対のグリル側電磁弁３０を制御部が開閉操作することにより、グリルバーナ２の火力を上述の４段階に調節するように構成されている。
【０１１３】
図７、図８及び図１９に示すように、前部側ケーシング３６Ｆの上部に、グリル用操作体５８が、燃料調節用回転体Ｔとして、コンロ用器具栓１９に装備した弁操作用回転体５６に代えて装備されている。
グリル用操作体５８は、弁操作用回転体５６と同様な構成によって、前部側ケーシング３６Ｆに装着されている。
【０１１４】
また、グリル用操作体５８は、コンロ用器具栓１９に装備した弁操作用回転体５６と同様に、グリル用操作具７の周壁部Ｈａと一体回転する回転体５５に連係されている。
つまり、グリル用操作体５８には、回転体５５の操作片５５Ｂに挿入する被操作片としての連係棒状部５８Ａが備えられて、回転体５５と一体回転するように構成されている。
したがって、グリル用操作具７の周壁部Ｈａを回転操作することにより、周壁部Ｈａと一体回転する回転体５５の操作片５５Ｂがグリル用操作体５８を回転操作するように構成されている。
【０１１５】
グリル用操作体５８には、前後に並ぶ一対の火力調節用スイッチ３４を押圧操作する前側スイッチ操作カム５８Ｆと後側スイッチ操作カム５８Ｒが設けられており、グリル用操作体５８の回転により、一対の火力調節用スイッチ３４を４状態に操作するように構成されている。
【０１１６】
すなわち、図１８に示すように、グリル用操作具７の周壁部Ｈａを最も右側方向に回転させた状態においては、前側スイッチ操作カム５８Ｆが対応する火力調節用スイッチ３４を押圧操作し、かつ、後側スイッチ操作カム５８Ｒが対応する火力調節用スイッチ３４を操作しない大火力用操作状態となる（図１８の最下段の図）。
【０１１７】
グリル用操作具７の周壁部Ｈａを大火力用操作状態から左方向に回転させるに伴って、前側スイッチ操作カム５８Ｆが対応する火力調節用スイッチ３４を押圧操作し、かつ、後側スイッチ操作カム５８Ｒも対応する火力調節用スイッチ３４を押圧操作する強め中火力用操作状態となる（図１８の下から２番目の図）。
【０１１８】
グリル用操作具７の周壁部Ｈａを強め中火力用操作状態から左方向に回転させるに伴って、前側スイッチ操作カム５８Ｆが対応する火力調節用スイッチ３４を操作せずに、後側スイッチ操作カム５８Ｒが対応する火力調節用スイッチ３４を押圧操作する弱め中火力用操作状態となる（図１８の上から２番目の図）。
【０１１９】
グリル用操作具７の周壁部Ｈａを弱め中火力用操作状態から左方向に回転させるに伴って、前側スイッチ操作カム５８Ｆが対応する火力調節用スイッチ３４を押圧操作せず、後側スイッチ操作カム５８Ｒも対応する火力調節用スイッチ３４を押圧操作しない弱火用操作状態となる（図１８の最上段の図）。
【０１２０】
また、グリル用操作具７の周壁部Ｈａを弱火用操作状態から右方向に回転させるに伴って、弱め中火力用操作状態、強め中火力用操作状態、大火力用操作状態になる。
つまり、グリル用操作具７の周壁部Ｈａを左右方向に回転操作することによって、弱火力用操作状態、弱め中火力用操作状態、強め中火力用操作状態、及び、大火力用操作状態のいずれかに切換えることができるように構成されている。
【０１２１】
そして、制御部が、一対の火力調節用スイッチ３４の操作状態に基づいて、一対のグリル側電磁弁３０を開閉操作することにより、グリルバーナ２の火力を大火力状態、強め中火力状態、弱め中火力状態、及び、弱火力状態に切換えるように構成されている。
【０１２２】
以上の通り、本実施形態においては、グリルバーナ２の燃料調節部Ｖとしての火力調節用のグリル側電磁弁３０を操作するグリルバーナ側の燃料調節機構部Ｍ２が、グリル用操作体５８及び連結部Ｚを備える形態に構成され、連結部Ｚが、操作片５５Ｂと被操作片としての連係棒状部５８Ａとから構成されている。
【０１２３】
（グリルバーナの点火用調節機構部）
グリルバーナ２の火力は、上述の如く、大火力状態、強め中火力状態、弱め中火力状態、及び、弱火力状態に切換えられることになるが、本実施形態のグリルバーナ２は、点火させるときには、大火力状態にて点火させることが好ましいものである。
このため、図１９及び図２０に示すように、グリル用操作体５８が大火力用操作状態とは異なる状態に操作されている場合には、グリル用操作具７を燃焼用位置Ｃから消火操作位置Ｄに向けて押し移動させたときに、グリル用操作体５８を大火力用操作状態に復帰操作するグリルバーナ側の点火用調節機構部Ｎ２が備えられており、以下、その点火用調節機構部Ｎ２について説明する。
【０１２４】
ガスコンロの正面視において、回転体５５の操作片５５Ｂの左側には、回転体５５の筒状本体５５Ａと操作片５５Ｂとを接続するカム形成部５５Ｃが設けられている。
尚、コンロ用操作具６においては、回転体５５の操作片５５Ｂの両側にカム形成部５５Ｃが備えられるが、グリル用操作具７においては、回転体５５の操作片５５Ｂの左側に相当する箇所のみに、カム形成部５５Ｃが設けられる。
【０１２５】
そして、カム形成部５５Ｃの後端部が、復帰操作用カムＷとして、操作片５５Ｂから離れるほどコンロ前方側に位置するグリル用復帰操作カムＷＧを形成するように構成されている。
また、ガスコンロの正面視において、前部側ケーシング３６Ｆの外周部の左側箇所には、カム操作体５７として、大火力状態よりも左方向に操作した状態のグリル用操作具７を燃焼用位置Ｃから消火操作位置Ｄに向けて押し移動させたときに、グリル用復帰操作カムＷＧと接当するグリル用カム操作用突起５７Ｇが設けられている。
【０１２６】
ちなみに、前部側ケーシング３６Ｆは、コンロ用器具栓１９とグリル用器具栓２０とに共用されるため、グリル用器具栓２０の前部側ケーシング３６Ｆには、弱火側カム操作用突起５７Ｌと強火側カム操作用突起５７Ｒとが装備されることになり、グリル用カム操作用突起５７Ｇは、弱火側カム操作用突起５７Ｌと同じである。
【０１２７】
したがって、大火力状態よりも左方向に操作した状態のグリル用操作具７の端面部Ｈｂを押圧しながら、グリル用操作具７を燃焼用位置Ｃから消火操作位置Ｄに向けて押し移動させたときに、グリル用復帰操作カムＷＧがグリル用カム操作用突起５７Ｇに接当することにより、回転体５５と一体回転するグリル用操作体５８を大火力用操作状態に復帰回転させるように構成されている。
【０１２８】
ちなみに、グリル用復帰操作カムＷＧの前端側部分が、操作軸心Ｘと平行な状態に形成されており、燃焼用位置Ｃから消火操作位置Ｄに向けて押し移動させたグリル用操作具７が、その後、消火用位置Ａや点火用位置Ｂに位置するときに、大火力用操作状態に対応する回転位相に復帰回転させた回転体５５を、その回転位相に維持できるように構成されている。
【０１２９】
ところで、グリル用操作具７の端面部Ｈｂを構成する本体キャップ５３が、上述の如く、グリル用操作具７の周壁部Ｈａを構成する本体部５２に対して操作軸心Ｘの回りに回転自在に構成されているから、グリル用操作具７の端面部Ｈｂを押圧しながら、グリル用操作具７を燃焼用位置Ｃから消火操作位置Ｄに向けて押し移動させたときに、回転体５５の回転に伴ってグリル用操作具７の周壁部Ｈａが回転しても、グリル用操作具７の端面部Ｈｂが回転しないため、グリル用操作具７の端面部Ｈｂを押圧操作することを、違和感のない状態で良好に行えるものとなっている。
【０１３０】
しかも、グリル用操作具７の端面部Ｈｂを構成する本体キャップ５３が、スライダ４０と筒状スペーサ５４とからなる操作具支持体Ｊに対して、操作軸心Ｘの回りに回転自在に装着されているから、本体部５２と本体キャップ５３との間の隙間に煮汁が入り込むこと等により、本体キャップ５３の本体部５２に対する回転が阻止される状態になったときには、グリル用操作具７を燃焼用位置Ｃから消火操作位置Ｄに向けて押し移動させる際に、本体キャップ５３が操作具支持体Ｊに対して回転するため、本体キャップ５３の本体部５２に対する回転が阻止される状態になったときにも、グリル用操作具７を燃焼用位置Ｃから消火操作位置Ｄに向けて押し移動させる操作を良好に行うことができる。
【０１３１】
〔別実施形態〕
以下、別実施形態を列記する。
【０１３２】
（１）上記実施形態では、燃焼操作具Ｈとして、コンロ用操作具６とグリル用操作具７とを例示したが、コンロ用操作具６とグリル用操作具７とのうちのいずれか一方を燃焼操作具Ｈとして実施するようにしてもよい。
【０１３３】
（２）上記実施形態では、ガス調理器としてガスコンロを例示したが、本発明は、グリル専用機等の種々のガス調理器に適用できるものである。
【０１３４】
（３）上記実施形態では、燃焼操作具Ｈの周壁部Ｈａが、操作片５５Ｂを備える回転体５５の筒状本体５５Ａに対して一体回転する状態に外嵌されることによって、周壁部Ｈａが操作片５５Ｂを備える場合を例示したが、周壁部Ｈａと操作片５５Ｂと一体的に形成する形態で実施してもよい。
【０１３５】
（４）上記実施形態では、操作具支持体Ｊが、スライダ４０とそのスライダ４０に接続されるスペーサ５４とから構成される場合を例示したが、スライダ４０とスペーサ５４とを一体形成して、操作具支持体Ｊを構成するようにしてもよい。
【０１３６】
（５）上記実施形態では、コンロバーナ１の点火用火力が、中火力である場合を例示したが、コンロバーナ１の点火用火力が、大火力（強火力）である場合にも本発明は適用できるものである。この場合において、コンロバーナ側の点火用調節機構部Ｎ１は、グリルバーナ側の点火用調節機構部Ｎ２と同様に構成することができる。
【０１３７】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３８】
３６Ｆ  支持体ケーシング
５５Ｂ  操作片
５５Ｃ  カム形成部
５６Ａ  被操作片
５８Ａ  被操作片
５７    カム操作体
Ａ      消火用位置
Ｂ      点火用位置
Ｃ      燃焼用位置
Ｈ      燃焼操作具
Ｊ      操作具支持体
Ｍ１    燃料調節機構部
Ｍ２    燃料調節機構部
Ｎ１    点火用調節機構部
Ｎ２    点火用調節機構部
Ｔ      燃料調節用回転体
Ｖ      燃料調節部
Ｗ      復帰操作用カム
Ｘ      操作軸心
Ｚ      連結部
【図１】
0006504928.tif 000002
【図２】
0006504928.tif 000003
【図３】
0006504928.tif 000004
【図４】
0006504928.tif 000005
【図５】
0006504928.tif 000006
【図６】
0006504928.tif 000007
【図７】
0006504928.tif 000008
【図８】
0006504928.tif 000009
【図９】
0006504928.tif 000010
【図１０】
0006504928.tif 000011
【図１１】
0006504928.tif 000012
【図１２】
0006504928.tif 000013
【図１３】
0006504928.tif 000014
【図１４】
0006504928.tif 000015
【図１５】
0006504928.tif 000016
【図１６】
0006504928.tif 000017
【図１７】
0006504928.tif 000018
【図１８】
0006504928.tif 000019
【図１９】
0006504928.tif 000020
【図２０】
0006504928.tif 000021